(57)【要約】【課題】シート内部から配風された風を配風方向とは交差する方向に開口する吹出口からより真っ直ぐな方向に吹き出せるようにすること。【解決手段】シート内部から配風された風Ａをシート外部へと配出することのできる送風機能を備えた空調シート１であって、シート内部で風Ａを配風するダクト１０Ａと、ダクト１０Ａの管壁を開口させてダクト１０Ａ内の風Ａをシート外部へと配出する吹出口１１Ｅ１と、を有する。ダクト１０Ａの配風方向Ｄの先端部がダクト１０Ａの配風経路を遮断する閉塞部（リブ１１Ａ）として形成され、かつ、吹出口１１Ｅ１がダクト１０Ａの閉塞部（リブ１１Ａ）から離れた管壁の中間箇所に形成されることで、ダクト１０Ａ内から吹出口１１Ｅ１に直接配出される風Ａ１が、ダクト１０Ａ内で閉塞部（リブ１１Ａ）に当たって撥ね返されてから吹出口１１Ｅ１に配出される反対方向の風Ａ２と当てられる構成とされている。【選択図】図５
2018093920.tif 000002
【特許請求の範囲】
【請求項１】
シート内部から配風された風をシート外部へと配出することのできる送風機能を備えた空調シートであって、
前記シート内部で風を配風するダクトと、
該ダクトの管壁を開口させて該ダクト内の風を前記シート外部へと配出する吹出口と、を有し、
前記ダクトの配風方向の先端部が該ダクトの配風経路を遮断する閉塞部として形成され、かつ、前記吹出口が前記ダクトの前記閉塞部から離れた前記管壁の中間箇所に形成されることで、前記ダクト内から前記吹出口に直接配出される風が、前記ダクト内で前記閉塞部に当たって撥ね返されてから前記吹出口に配出される反対方向の風と当てられる構成とされている空調シート。
【請求項２】
請求項１に記載の空調シートであって、
前記吹出口の開口面積が前記ダクトの配風経路の断面積よりも狭い構成とされている空調シート。
【請求項３】
請求項１又は請求項２に記載の空調シートであって、
更に、前記ダクト内における前記吹出口と前記閉塞部との間の風の通り道の長さを調節することのできる長さ調節部を有する空調シート。
【請求項４】
請求項１から請求項３のいずれかに記載の空調シートであって、
前記ダクトの断面形状が配風方向の上流側から下流側に向かって幅広状に平たくなっていく構成とされている空調シート。
【請求項５】
請求項１から請求項４のいずれかに記載の空調シートであって、
当該空調シートが着座者の身体を裏側から少なくとも一方側のサイドにかけて包み込む形で支えるシェル構造を備え、
該シェル構造が中空形状から成る筐体部によりその基本形状の一部が形作られており、該筐体部によって前記ダクトが形成されている空調シート。
【発明の詳細な説明】
【技術分野】
【０００１】
本発明は、空調シートに関する。詳しくは、シート内部から配風された風をシート外部へと配出することのできる送風機能を備えた空調シートに関する。
【背景技術】
【０００２】
従来、いわゆる空調シートとして、シート内部から配風された風をシート表面より配出させて着座者の快適性を向上させる送風機能を備えたものが知られている（特許文献１）。具体的には、シート表面にルーバの付いた風の吹出口が設けられており、同吹出口から着座者に向かって風が吹き出されるものである。
【先行技術文献】
【特許文献】
【０００３】
【特許文献１】特開２００６−１０２１９３号公報
【発明の概要】
【発明が解決しようとする課題】
【０００４】
上記従来技術では、シート形状が薄型なところに吹出口が設定される場合、同吹出口に風の方向性をつかさどるルーバを設定することがスペース的に困難となる場合がある。本発明は、上記問題を解決するものとして創案されたものであって、本発明が解決しようとする課題は、シート内部から配風された風を配風方向とは交差する方向に開口する吹出口からより真っ直ぐな方向に吹き出せるようにすることにある。
【課題を解決するための手段】
【０００５】
上記課題を解決するために、本発明の空調シートは次の手段をとる。
【０００６】
第１の発明は、シート内部から配風された風をシート外部へと配出することのできる送風機能を備えた空調シートであって、シート内部で風を配風するダクトと、ダクトの管壁を開口させてダクト内の風をシート外部へと配出する吹出口と、を有する。ダクトの配風方向の先端部がダクトの配風経路を遮断する閉塞部として形成され、かつ、吹出口がダクトの閉塞部から離れた管壁の中間箇所に形成されることで、ダクト内から吹出口に直接配出される風が、ダクト内で閉塞部に当たって撥ね返されてから吹出口に配出される反対方向の風と当てられる構成とされている。
【０００７】
この第１の発明によれば、ダクトの吹出口から配出される風が、ダクト内で閉塞部に当たって撥ね返される風に当てられて向きが変えられて配出されるようになる。したがって、上記吹出口から配出される風を、ダクトの配風方向の流れを受けて斜めに吹き出させるのではなく、吹出口からより真っ直ぐな方向に吹き出させることができる。
【０００８】
第２の発明は、上述した第１の発明において、次の構成とされているものである。吹出口の開口面積が、ダクトの配風経路の断面積よりも狭い構成とされている。
【０００９】
この第２の発明によれば、吹出口から高い風速で風をより真っ直ぐに向けて吹き出すことができる。
【００１０】
第３の発明は、上述した第１又は第２の発明において、次の構成とされているものである。更に、ダクト内における吹出口と閉塞部との間の風の通り道の長さを調節することのできる長さ調節部を有する。
【００１１】
この第３の発明によれば、長さ調節部の調節により、ダクト内で閉塞部に当たって撥ね返される風の強さの調節を行うことができる。上記調節により、吹出口から吹き出される風を、ダクトの配風方向に斜めに向けたり、吹出口から真っ直ぐな方向に向けたりするように調節することができる。
【００１２】
第４の発明は、上述した第１から第３のいずれかの発明において、次の構成とされているものである。ダクトの断面形状が配風方向の上流側から下流側に向かって断面幅を広げながら断面厚を薄くしていく構成とされている。
【００１３】
この第４の発明によれば、ダクト内の風量を維持したまま、吹出口をダクトの幅広な下流側領域に長く形成することができる。
【００１４】
第５の発明は、上述した第１から第４のいずれかの発明において、次の構成とされているものである。空調シートが着座者の身体を裏側から少なくとも一方側のサイドにかけて包み込む形で支えるシェル構造を備える。シェル構造が中空形状から成る筐体部によりその基本形状の一部が形作られており、筐体部によってダクトが形成されている。
【００１５】
この第５の発明によれば、空調シートのシェル構造を利用して、ダクトを合理的に形成することができる。
【図面の簡単な説明】
【００１６】
【図１】実施例１の空調シートの概略構成を表した斜視図である。
【図２】図１の正面図である。
【図３】図１の側面図である。
【図４】図１の要部分解斜視図である。
【図５】図２のV-V線断面図である。
【図６】実施例２の空調シートの概略構成を表した模式図である。
【発明を実施するための形態】
【００１７】
以下に、本発明を実施するための形態について、図面を用いて説明する。
【実施例１】
【００１８】
《空調シート１の概略構成について》
始めに、実施例１の空調シート１の構成について、図１〜図５を用いて説明する。なお、以下の説明において、前後上下左右等の各方向を示す場合には、各図中に示されたそれぞれの方向を指すものとする。本実施例の空調シート１は、図１〜図３に示すように、自動車の後部側座席として構成されている。上記空調シート１は、着座者Ｐの背凭れ部となるシートバック２と、着座部となる不図示のシートクッションと、を備えた構成とされている。
【００１９】
上述したシートバック２は、着座者Ｐの身体を後側（裏側）から左右両サイドにかけて包み込む形で支えることのできる湾曲形状のシェル構造２Ｓを備えた構成とされている。具体的には、上述したシェル構造２Ｓは、シートバック２の前面の中央部分を成して着座者Ｐの身体を後側から支持する天板メイン部２Ａと、シートバック２の前面の左右両サイド部分を成して着座者Ｐの身体を左右両外側（両横側）から包み込む形で支持する天板サイド部２Ｂと、を備える。上述したシートバック２は、その天板メイン部２Ａの上部側領域が着座者Ｐの頭部Ｐ１を凭れ掛けさせることのできるヘッドレスト部２Ａａとして構成された、いわゆるハイバックタイプの構成とされている。
【００２０】
上述したシートバック２の左右の各天板サイド部２Ｂは、それぞれ、上述した天板メイン部２Ａの左右両側の縁部から前外側に向かって湾曲した形で張り出して着座者Ｐの身体を左右両サイドから包み込む形で覆う形状とされている。そして、上述した各天板サイド部２Ｂの上部側領域には、他の下部側領域よりも前外側に向かって大きく張り出して着座者Ｐの頭部Ｐ１を左右両サイドから包み込む形で覆うことのできる張出部２Ｂａが形成されている。
【００２１】
これら張出部２Ｂａは、それぞれ、それらの張り出す前外側に向かって高さ幅を漸次先細り状に丸めていく形で、概ね標準姿勢の着座者Ｐの頭部Ｐ１と前面を揃える位置まで前側に張り出す形状とされている（図３参照）。これら張出部２Ｂａの張り出しにより、着座者Ｐの視界を左右両側から適切に遮ることのできる良好なパーソナルスペースが形成されるようになっている。
【００２２】
上述した各張出部２Ｂａには、それらの互いに対向する内側面部の周縁部位に、同周縁部位に沿ってスリット状に開口する吹出口２Ｂｂが形成されている。これら吹出口２Ｂｂは、それぞれ、図３に示すように、上述した各張出部２Ｂａにおける着座者Ｐの頭部Ｐ１の上面付近を前後方向に横切る上縁部位（吹出口１１Ｅ１）と、各張出部２Ｂａにおける着座者Ｐの頭部Ｐ１の前面付近を高さ方向に横切る前縁部位（吹出口１１Ｅ２）と、に分かれて形成されている。これら吹出口２Ｂｂ（吹出口１１Ｅ１，１１Ｅ２）は、それぞれ、上述した各張出部２Ｂａ内に設けられた後述するダクト１０Ａ，１０Ｂを通してシート下に設けられた不図示の送風機から送り出された風Ａを、着座者Ｐの頭部Ｐ１に向けて横方向（左右方向）に吹き出すように機能する構成とされている。
【００２３】
詳しくは、上述した各吹出口２Ｂｂ（吹出口１１Ｅ１，１１Ｅ２）は、それらの内部から吹き出された風Ａを着座者Ｐの頭部Ｐ１に向かって流せるように、各張出部２Ｂａの頭部Ｐ１に向かって面を向ける内側面部上に開口して形成されている。しかし、これら吹出口２Ｂｂ（吹出口１１Ｅ１，１１Ｅ２）に向かってシート内部で風Ａを配風する各ダクト１０Ａ，１０Ｂは、図４に示すように、各張出部２Ｂａの張出方向である前方向や上方向に配風方向Ｄを延ばす形状とされている。そのために、各ダクト１０Ａ，１０Ｂから各吹出口１１Ｅ１，１１Ｅ２へ向かって配風される風Ａの力が、各吹出口１１Ｅ１，１１Ｅ２から吹き出される風Ａの方向を各張出部２Ｂａの張出方向である配風方向Ｄへと押しやりやすくなる。
【００２４】
しかし、上述した各ダクト１０Ａ，１０Ｂには、上述した各吹出口１１Ｅ１，１１Ｅ２から吹き出される風Ａの方向が上記のように配風方向Ｄへと押しやられることがないように、これら吹出口１１Ｅ１，１１Ｅ２から吹き出される風Ａの方向を横方向に向かわせるように機能する吹き返し領域ＲＡが形成されている。具体的には、これら吹き返し領域ＲＡは、図４〜図５に示すように、上述した各吹出口１１Ｅ１，１１Ｅ２が各ダクト１０Ａ，１０Ｂの配風方向Ｄの先端部である配風経路を遮断する閉塞部（リブ１１Ａ）から離れた中間箇所に形成されていることで、各ダクト１０Ａ，１０Ｂ内における吹出口１１Ｅ１，１１Ｅ２と閉塞部（リブ１１Ａ）との間に風Ａを吹き溜められるようなポケット状の空間となって形成されている。ここで、各吹き返し領域ＲＡがそれぞれ本発明の「風の通り道」に相当する。
【００２５】
上記吹き返し領域ＲＡの形成により、図５に示すように、各ダクト１０Ａ，１０Ｂ内から吹出口１１Ｅ１，１１Ｅ２へと抜ける風Ａは、各ダクト１０Ａ，１０Ｂ内を配風方向Ｄに流れてそのまま吹出口１１Ｅ１，１１Ｅ２から抜ける風Ａ１と、吹出口１１Ｅ１，１１Ｅ２を通り越して閉塞部（リブ１１Ａ）に当たって撥ね返されてから吹出口１１Ｅ１，１１Ｅ２へと抜ける風Ａ２と、に分けられるようになる。その結果、各ダクト１０Ａ，１０Ｂ内を配風方向Ｄに流れてそのまま吹出口１１Ｅ１，１１Ｅ２から抜ける風Ａ１と、吹出口１１Ｅ１，１１Ｅ２を通り越して閉塞部（リブ１１Ａ）に当たって撥ね返されてから吹出口１１Ｅ１，１１Ｅ２へと抜ける風Ａ２と、が互いにぶつかり合う流れが生じて、各々の風Ａ１，Ａ２の相互作用によって吹出口１１Ｅ１，１１Ｅ２から抜ける風Ａが真っ直ぐな方向に向けられて配出されるようになる。
【００２６】
したがって、上記のように各ダクト１０Ａ，１０Ｂの配風方向Ｄが各吹出口１１Ｅ１，１１Ｅ２の開口方向とは交差する関係となっていても、各吹出口１１Ｅ１，１１Ｅ２から吹き出される風Ａの向きを着座者Ｐの頭部Ｐ１のある横方向に適切に向かわせるようにコントロールすることができる。なお、各ダクト１０Ａ，１０Ｂに上記のような吹き返し領域ＲＡがなく、閉塞部（リブ１１Ａ）が吹出口１１Ｅ１，１１Ｅ２に隣接状に臨む形状とされている場合には、上記のような撥ね返りの流れは生じず、各ダクト１０Ａ，１０Ｂ内を配風方向Ｄに流れる風Ａが殆どそのまま吹出口１１Ｅ１，１１Ｅ２から抜けるように流れ出てしまうこととなる。そのため、各吹出口１１Ｅ１，１１Ｅ２から吹き出される風Ａの方向が、配風方向Ｄへと斜めに押しやられてしまうこととなる。
【００２７】
《各部の具体的な構成について》
以下、上述した送風機能を備えるシートバック２のシェル構造２Ｓの具体的な構成について、詳しく説明していく。図１〜図３に示すように、上述したシートバック２のシェル構造２Ｓを成す天板メイン部２Ａ及び各天板サイド部２Ｂは、それらの基本構造が次のような構成とされている。すなわち、内部に強度部材となる金属製のフレームを有し、同フレーム全体を覆うように発砲ウレタン製のパッドが被せ付けられて、更にその外表面全体を覆うように合成皮革製又はファブリック製のカバーが被せ付けられた構成とされている。
【００２８】
しかし、上記シェル構造２Ｓのうち、上述した各張出部２Ｂａだけは、中空状に形作られたアクリル樹脂製の筐体部１０によって構成されている。これら筐体部１０は、それぞれ、上述した各天板サイド部２Ｂ内に設けられた図示しないフレームに一体的に締結されて固定された状態として設けられている。具体的には、上述した各筐体部１０は、図４に示すように、曲板形状の本体板１１と、同本体板１１の裏側面部に蓋をする形に組み付けられて本体板１１と一体化される蓋板１２と、によって薄い中空箱形状に形成されている。ここで、本体板１１が本発明の「管壁」に相当する。
【００２９】
これら筐体部１０は、それぞれ、図４〜図５に示すように、各張出部２Ｂａの張出方向（配風方向Ｄ）に向かってそれらの本体板１１と蓋板１２との重ね合わされた厚みが漸次先細り状に薄くなっていく形状とされている。具体的には、各筐体部１０は、図４に示すように、上述した本体板１１の裏面上の所々の箇所から筋状に立ち上がる形で延びる各リブ１１Ａ〜１１Ｃが、各張出部２Ｂａの張出方向（配風方向Ｄ）に向かってそれらの立ち上がり高さが漸次低くなっていく形状とされていることで、これらリブ１１Ａ〜１１Ｃを介して互いに合わされる本体板１１と蓋板１２との重ね合わされた厚み（断面厚Ｈ）が各張出部２Ｂａの張出方向（配風方向Ｄ）に向かって漸次薄くなっていく形状とされている。
【００３０】
より詳しくは、上述した本体板１１の裏面には、その張出方向（配風方向Ｄ）の周縁部に沿って連続的に立ち上がる形で延びるリブ１１Ａと、本体板１１の裏面上から張出方向（配風方向Ｄ）に放射状に立ち上がる形で延びる２本のリブ１１Ｂと、これら２本のリブ１１Ｂの間の空間を仕切るように本体板１１の裏面上から張出方向（配風方向Ｄ）に放射状に立ち上がる形で延びるリブ１１Ｃと、が形成されている。上述した各リブ１１Ａ〜１１Ｃは、本体板１１の裏側に蓋板１２が合わせられることにより、蓋板１２に対して隙間なく接触した状態にセットされて、蓋板１２と本体板１１の裏面との間の隙間を区画した状態となる構成とされている。
【００３１】
上記構成により、本体板１１の裏面と蓋板１２との間には、上記周縁のリブ１１Ａと放射状に延びる２本のリブ１１Ｂとによって囲まれると共にその間を走るリブ１１Ｃによって２つの略中空扇形状の閉じ空間となるように仕切られたダクト１０Ａ，１０Ｂが形成されている。上述した各ダクト１０Ａ，１０Ｂは、それらの扇形の中心側の壁部を成すリブ１１Ｂに形成された各供給口１１Ｄ１，１１Ｄ２から上述した不図示の送風機から送り出される風Ａの供給を受け、その受けた風Ａを本体板１１の各扇形の外周縁側の近傍箇所に貫通して形成された各吹出口１１Ｅ１，１１Ｅ２から外部へと配出するように配風する構成とされている。すなわち、各ダクト１０Ａ，１０Ｂは、それらの扇形の中心側の供給口１１Ｄ１，１１Ｄ２から供給された風Ａを、各張出部２Ｂａの張出方向（配風方向Ｄ）に配風させて、これら張出方向（配風方向Ｄ）とは直交する方向に開口した各吹出口１１Ｅ１，１１Ｅ２から吹き出す構成とされている。
【００３２】
詳しくは、上述した各吹出口１１Ｅ１，１１Ｅ２は、図４〜図５で前述したように、各ダクト１０Ａ，１０Ｂの配風方向Ｄの先端部である配風経路を遮断する閉塞部（リブ１１Ａ）から各扇形の中心側（配風方向Ｄとは反対側）に僅かに離れた中間箇所において、各ダクト１０Ａ，１０Ｂの周縁部位に沿って細長いスリット形状に貫通した形となって延びるように形成されている。より詳しくは、上側に仕切られた各ダクト１０Ａの吹出口１１Ｅ１は、各張出部２Ｂａの上側の縁部に沿って前後方向に長く延びるスリット形状に貫通して形成されている。また、前側に仕切られた各ダクト１０Ｂの吹出口１１Ｅ２は、各張出部２Ｂａの丸められた前縁部に沿って高さ方向に長く延びるスリット形状に貫通して形成されている。
【００３３】
より詳しくは、上述した各ダクト１０Ａ，１０Ｂは、それらの扇形の中心側から外周縁側に向かって、それらの内部の断面厚Ｈが漸次先細り状に狭められていくと共に断面幅Ｗが漸次末広がり状に広がっていく形となって形成されている。上記構成により、各ダクト１０Ａ，１０Ｂは、各張出部２Ｂａの形状に倣って張出方向（配風方向Ｄ）の先端側に向かって漸次薄型になっていく形状とされていても、それらの内部の断面積Ｓ２を狭めることなく先端側へ向かって大きな風量を送り出すことができるようになっている。
【００３４】
また、各吹出口１１Ｅ１，１１Ｅ２は、各ダクト１０Ａ，１０Ｂの配風方向Ｄの先端側に近い外周縁側の箇所において、上述したリブ１１Ｂとリブ１１Ｃとの間の両端側領域を残す、断面幅方向の略全域に亘ってそれぞれ長く延出したスリット形状となって形成されている。しかし、各吹出口１１Ｅ１，１１Ｅ２は、それらの開口面積Ｓ１が、各ダクト１０Ａ，１０Ｂ内のどの部分で切った断面積Ｓ２よりも小さくなる大きさに開口した形状とされている。このような構成とされていることにより、各吹出口１１Ｅ１，１１Ｅ２は、各ダクト１０Ａ，１０Ｂ内を配風される風Ａよりも風速を上げて着座者Ｐの頭部Ｐ１に向かって風Ａを吹き出せるようになっている。
【００３５】
したがって、図１に示すように、上述した前後方向に長く延びる上側の各吹出口１１Ｅ１によって、着座者Ｐの頭部Ｐ１の上面付近に前後方向の広い範囲に亘って適切に風Ａを吹き届かせることができる。また、上述した高さ方向に長く延びる前側の各吹出口１１Ｅ２によって、着座者Ｐの頭部Ｐ１の前面付近に高さ方向の広い範囲に亘って適切に風Ａを吹き届かせることができる。また、上述した各ダクト１０Ａ，１０Ｂを区画形成する各リブ１１Ａ〜１１Ｃによって、筐体部１０の構造強度を高めるための補強部材として合理的に機能させることができる。
【００３６】
《まとめ》
以上をまとめると、本実施例の空調シート１は次のような構成とされている。すなわち、シート内部から配風された風（風Ａ）をシート外部へと配出することのできる送風機能を備えた空調シート（空調シート１）であって、シート内部で風（風Ａ）を配風するダクト（ダクト１０Ａ，１０Ｂ）と、ダクト（ダクト１０Ａ，１０Ｂ）の管壁（本体板１１）を開口させてダクト（ダクト１０Ａ，１０Ｂ）内の風（風Ａ）をシート外部へと配出する吹出口（吹出口１１Ｅ１，１１Ｅ２）と、を有する。ダクト（ダクト１０Ａ，１０Ｂ）の配風方向（配風方向Ｄ）の先端部がダクト（ダクト１０Ａ，１０Ｂ）の配風経路を遮断する閉塞部（リブ１１Ａ）として形成され、かつ、吹出口（吹出口１１Ｅ１，１１Ｅ２）がダクト（ダクト１０Ａ，１０Ｂ）の閉塞部（リブ１１Ａ）から離れた管壁（本体板１１）の中間箇所に形成されることで、ダクト（ダクト１０Ａ，１０Ｂ）内から吹出口（吹出口１１Ｅ１，１１Ｅ２）に直接配出される風（風Ａ１）が、ダクト（ダクト１０Ａ，１０Ｂ）内で閉塞部（リブ１１Ａ）に当たって撥ね返されてから吹出口（吹出口１１Ｅ１，１１Ｅ２）に配出される反対方向の風（風Ａ２）と当てられる構成とされている。
【００３７】
このような構成とされていることにより、ダクト（ダクト１０Ａ，１０Ｂ）の吹出口（吹出口１１Ｅ１，１１Ｅ２）から配出される風（風Ａ）が、ダクト（ダクト１０Ａ，１０Ｂ）内で閉塞部（リブ１１Ａ）に当たって撥ね返される風（風Ａ２）に当てられて向きが変えられて配出されるようになる。したがって、上記吹出口（吹出口１１Ｅ１，１１Ｅ２）から配出される風（風Ａ）を、ダクト（ダクト１０Ａ，１０Ｂ）の配風方向（配風方向Ｄ）の流れを受けて斜めに吹き出させるのではなく、吹出口（吹出口１１Ｅ１，１１Ｅ２）からより真っ直ぐな方向に吹き出させることができる。
【００３８】
また、吹出口（吹出口１１Ｅ１，１１Ｅ２）の開口面積（開口面積Ｓ１）が、ダクト（ダクト１０Ａ，１０Ｂ）の配風経路の断面積（断面積Ｓ２）よりも狭い構成とされている。このような構成とされていることにより、吹出口（吹出口１１Ｅ１，１１Ｅ２）から高い風速で風（風Ａ）をより真っ直ぐに向けて吹き出すことができる。
【００３９】
また、ダクト（ダクト１０Ａ，１０Ｂ）の断面形状が配風方向（配風方向Ｄ）の上流側から下流側に向かって断面幅（断面幅Ｗ）を広げながら断面厚（断面厚Ｈ）を薄くしていく構成とされている。このような構成とされていることにより、ダクト（ダクト１０Ａ，１０Ｂ）内の風量を維持したまま吹出口（吹出口１１Ｅ１，１１Ｅ２）をダクト（ダクト１０Ａ，１０Ｂ）の幅広な下流側領域に長く形成することができる。
【００４０】
また、空調シート（空調シート１）が着座者Ｐの身体を裏側から少なくとも一方側のサイドにかけて包み込む形で支えるシェル構造（シェル構造２Ｓ）を備える。シェル構造（シェル構造２Ｓ）が中空形状から成る筐体部（筐体部１０）によりその基本形状の一部が形作られており、筐体部（筐体部１０）によってダクト（ダクト１０Ａ，１０Ｂ）が形成されている。このような構成とされていることにより、空調シート（空調シート１）のシェル構造（シェル構造２Ｓ）を利用して、ダクト（ダクト１０Ａ，１０Ｂ）を合理的に形成することができる。
【実施例２】
【００４１】
続いて、実施例２の空調シート１の構成について、図６を用いて説明する。本実施例では、各筐体部１０に、各ダクト１０Ａ，１０Ｂ内の吹き返し領域ＲＡの風Ａの通り道の長さを調節することのできる長さ調節部２０が設けられている。これら長さ調節部２０は、それぞれ、各ダクト１０Ａ，１０Ｂ内の吹き返し領域ＲＡ内にセットされたピストン２１と、同ピストン２１から筐体部１０のリブ１１Ａを貫通して外部へ延び出すつまみ２２と、を有する構成とされている。上述した各ピストン２１は、それぞれ、各ダクト１０Ａ，１０Ｂ内の断面形状に略隙間なく嵌り込む形状とされていて、各ダクト１０Ａ，１０Ｂ内の実質的な配風方向Ｄの先端側の閉塞部を形成する構成とされている。上述した各ピストン２１は、それらの位置が動かされることで、注射器のピストンのように、各ダクト１０Ａ，１０Ｂ内の実質的な配風方向Ｄの先端側の閉塞部の位置、すなわち吹き返し領域ＲＡ内の広さを変化させるようになっている。
【００４２】
具体的には、上述した各ピストン２１は、上述したつまみ２２を使用者が各筐体部１０に向かって押し込んだり引き出したりする動きにより、各吹き返し領域ＲＡを狭めたり広げたりするように動かされて、各吹き返し領域ＲＡ内へと流される風Ａの通り道の長さを調節する構成とされている。上述した各ピストン２１は、上述したつまみ２２の操作によって、各ダクト１０Ａ，１０Ｂ内の配風方向Ｄの先端側の閉塞部（リブ１１Ａ）と重なって各吹き返し領域ＲＡを目一杯広げた位置と、各吹出口１１Ｅ１，１１Ｅ２に隣接状に臨む位置まで張り出して各吹き返し領域ＲＡを実質的に閉鎖する位置と、の間で任意の位置に調節されるようになっている。
【００４３】
上述した各ピストン２１は、上記のように調節されたそれぞれの位置では、各ダクト１０Ａ，１０Ｂ内に流される風Ａにより風圧を受けても、それらの摺動摩擦抵抗力によって同じ位置に留められるようになっている。したがって、各ピストン２１を各吹出口１１Ｅ１，１１Ｅ２と隣接状に臨ませる位置に調節して各吹き返し領域ＲＡを実質的に閉鎖した状態とすることにより、各ダクト１０Ａ，１０Ｂ内を配風方向Ｄに流れる風Ａが殆どそのまま吹出口１１Ｅ１，１１Ｅ２から抜ける形に流れ出すようになる。その結果、各吹出口１１Ｅ１，１１Ｅ２から吹き出される風Ａの方向が、各張出部２Ｂａの張出方向（配風方向Ｄ）へと斜めに向けられるようになる。
【００４４】
したがって、上記のように各ピストン２１の位置を調節することにより、各吹出口１１Ｅ１，１１Ｅ２から吹き出す風Ａの方向を前側寄りに調節することができる。また、上述した各ピストン２１の位置を各吹き返し領域ＲＡを目一杯広げる位置と閉鎖する位置との間で適宜調節することにより、各吹出口１１Ｅ１，１１Ｅ２から吹き出す風Ａの方向を上述した各吹出口１１Ｅ１，１１Ｅ２から真っ直ぐ吹き出す方向と張出方向（配風方向Ｄ）へ吹き出す方向との間で適宜調節することができる。なお、上記以外の構成については、実施例１で示した構成と同じとなっているため、これらと同一の符号を付して説明を省略することとする。
【００４５】
以上をまとめると、本実施例の空調シート１は次のような構成とされている。すなわち、空調シート（空調シート１）は、更に、ダクト（ダクト１０Ａ，１０Ｂ）内における吹出口（吹出口１１Ｅ１，１１Ｅ２）と閉塞部（リブ１１Ａ）との間の風（風Ａ２）の通り道（吹き返し領域ＲＡ）の長さを調節することのできる長さ調節部（長さ調節部２０）を有する。このような構成とされていることにより、長さ調節部（長さ調節部２０）の調節により、ダクト（ダクト１０Ａ，１０Ｂ）内で閉塞部（リブ１１Ａ）に当たって撥ね返される風（風Ａ２）の強さの調節を行うことができる。上記調節により、吹出口（吹出口１１Ｅ１，１１Ｅ２）から吹き出される風（風Ａ）を、ダクト（ダクト１０Ａ，１０Ｂ）の配風方向（配風方向Ｄ）に斜めに向けたり、吹出口（吹出口１１Ｅ１，１１Ｅ２）から真っ直ぐな方向に向けたりするように調節することができる。
【００４６】
以上、本発明の実施形態を２つの実施例を用いて説明したが、本発明は上記実施例のほか各種の形態で実施することができるものである。例えば、本発明の空調シートは、家具等の非乗物用に供されるシートの他、自動車や鉄道等の車両又は航空機、船舶等を含む種々の乗物用に供されるシートにも広く適用することができるものである。上記空調シートに搭載される送風機能は、シートバックから風が配出されるものの他、シートクッションやオットマン、ヘッドレスト又はアームレスト等のシート構造体のいずれの箇所から風が配出されるものであってもよい。
【００４７】
また、ダクトは、必ずしもシェル構造の構成部材自体によって構成されるものでなくてもよく、別体で構成されるものであってもよい。また、ダクトや吹出口の形状は特定の形に限定されるものでなく、種々の形状から成るものを適用することができるものである。また、ダクトをシェル構造の筐体部によって構成する場合、筐体部は、アクリル樹脂以外の樹脂材や、金属材その他の材料から成るものであってもよい。
【符号の説明】
【００４８】
１      空調シート
２      シートバック
２Ｓ    シェル構造
２Ａ    天板メイン部
２Ａａ  ヘッドレスト部
２Ｂ    天板サイド部
２Ｂａ  張出部
２Ｂｂ  吹出口
１０    筐体部
１０Ａ，１０Ｂ  ダクト
１１    本体板（管壁）
１１Ａ  リブ（閉塞部）
１１Ｂ  リブ
１１Ｃ  リブ
１１Ｄ１，１１Ｄ２  供給口
１１Ｅ１，１１Ｅ２  吹出口
１２    蓋板
２０    長さ調節部
２１    ピストン
２２    つまみ
Ａ      風
Ａ１    風
Ａ２    風
Ｓ１    開口面積
Ｓ２    断面積
Ｗ      断面幅
Ｈ      断面厚
Ｐ      着座者
Ｐ１    頭部
ＲＡ    吹き返し領域（風の通り道）
Ｄ      配風方向
【図１】
2018093920.tif 000003
【図２】
2018093920.tif 000004
【図３】
2018093920.tif 000005
【図４】
2018093920.tif 000006
【図５】
2018093920.tif 000007
【図６】
2018093920.tif 000008